(57)【要約】【課題】多点同時入力を可能とする導光板の両面に接触点があっても、どちらの面での接触点であるかの識別を容易に行うこと。【解決手段】一座標を判別するための発光素子３Ａ又は３Ｂにより光を所定の方向から入射し、他座標を判別するための受光素子４により散乱光が受光されると、制御部５ｅにより、たとえば点灯走査させたときの発光素子３Ａ又は３Ｂの座標と、散乱光を受光したときの受光素子４の座標とから、接触物による表面タッチエリア２ａ及び／又は裏面タッチエリア２ｂへの入力位置が特定され、さらに発光素子３Ａ又は３Ｂからの光が導光板２内に入射されて表面タッチエリア２ａ及び裏面タッチエリア２ｂに形成される接触点認識可能領域ａ１〜ａ９又はｂ１〜ｂ９の接触位置下での散乱光の受光に応じて接触物による接触が表面タッチエリア２ａであるか裏面タッチエリア２ｂであるかが識別されるようにした。【選択図】図７
2009288948.tif 000002
【特許請求の範囲】
【請求項１】
接触物によっての入力位置を示す位置データを入力する位置入力装置であって、
一面側が第１のタッチエリアとされ、他面側が第２のタッチエリアとされ、これら第１及び／又は第２のタッチエリアへの接触に応じて散乱光を発生させる導光板と、
一座標を判別するために、前記導光板の一座標方向に設けられ、該導光板内に光を所定の方向から入射する第１の発光手段と、
一座標を判別するために、前記第１の発光手段に対応させて設けられ、該導光板内に光を前記第１の発光手段における入射の方向とは線対称となる方向から入射する第２の発光手段と、
他座標を判別するために、前記導光板の一辺に沿って設けられ、前記散乱光を受光する受光手段と、
前記第１及び第２の発光手段に対し、部分的に点灯させる点灯走査又は部分的に非点灯させる非点灯走査を行う制御手段とを備え、
前記制御手段は、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置を特定し、さらに前記第１又は第２の発光手段からの光が前記導光板内に入射されて全反射を繰り返しながら前記導光板内を直進することにより前記第１及び第２のタッチエリアに形成される接触点認識可能領域の接触位置下での散乱光の受光に応じて前記接触物による接触が前記第１のタッチエリアであるか前記第２のタッチエリアであるかを識別する
ことを特徴とする位置入力装置。
【請求項２】
接触物によっての入力位置を示す位置データを入力する位置入力装置であって、
一面側にタッチエリアを有し、該タッチエリアへの接触に応じて散乱光を発生させる第１の導光板と、
一面側にタッチエリアを有し、他面側が前記第１の導光板の他面側に重ね合わされ、該タッチエリアへの接触に応じて散乱光を発生させる第２の導光板と、
一座標を判別するために、前記第１の導光板の一座標方向に設けられ、該第１の導光板内に光を所定の方向から入射する第１の発光手段と、
一座標を判別するために、前記第２の導光板の一座標方向に設けられ、該第２の導光板内に光を所定の方向から入射する第２の発光手段と、
他座標を判別するために、前記第１の導光板と前記第２の導光板の一辺側でこれらの第１及び第２の導光板の重ね合わせ部分に沿って設けられ、前記散乱光を受光する受光手段と、
前記第１及び第２の発光手段に対し、部分的に点灯させる点灯走査又は部分的に非点灯させる非点灯走査を行う制御手段とを備え、
前記制御手段は、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置を特定し、さらに前記受光手段の受光時に前記点灯走査又は非点灯走査させたときの前記第１又は第２の発光手段のいずれかから前記接触物による接触が前記第１の導光板のタッチエリアであるか前記第２の導光板のタッチエリアであるを識別する
ことを特徴とする位置入力装置。
【請求項３】
接触物によっての入力位置を示す位置データを入力する位置入力装置であって、
一面側にタッチエリアを有し、該タッチエリアへの接触に応じて散乱光を発生させる第１の導光板と、
一面側にタッチエリアを有し、他面側が前記第１の導光板の他面側に重ね合わされ、該タッチエリアへの接触に応じて散乱光を発生させる第２の導光板と、
一座標を判別するために、前記第１及び第２の導光板のそれぞれのタッチエリアの領域全体に対応するように、前記第１の導光板と前記第２の導光板の間に設けられ、該第１及び第２の導光板内に光を入射する発光手段と、
他座標を判別するために、前記第１の導光板の一辺に沿って設けられ、前記散乱光を受光する第１の受光手段と、
他座標を判別するために、前記第２の導光板の一辺に沿って設けられ、前記散乱光を受光する第２の受光手段と、
前記発光手段に対し、部分的に点灯させる点灯走査又は部分的に非点灯させる非点灯走査を行う制御手段とを備え、
前記制御手段は、前記第１及び／又は第２の受光手段によって前記散乱光が受光されたときの座標と、該第１及び／又は第２の受光手段の受光時に前記点灯走査又は非点灯走査させたときの前記発光手段の座標とから、前記接触物による前記第１及び／又は第２の導光板のタッチエリアへの入力位置を特定し、該第１又は第２の受光手段の受光に応じて前記接触物による接触が前記第１の導光板のタッチエリアであるか前記第２の導光板のタッチエリアであるを識別する
ことを特徴とする位置入力装置。
【請求項４】
前記制御手段は、前記点灯走査又は前記非点灯走査を時分割で行うことを特徴とする請求項１又は２に記載の位置入力装置。
【請求項５】
接触物によっての入力位置を示す位置データを入力する位置入力方法であって、
一座標を判別するために、一面側が第１のタッチエリアとされ、他面側が第２のタッチエリアとされ、これら第１及び／又は第２のタッチエリアへの接触に応じて散乱光を発生させる導光板に、該導光板の一座標方向に設けられた第１の発光手段により、光を所定の方向から入射する工程と、
一座標を判別するために、前記第１の発光手段に対応させて設けられた第２の発光手段により、前記導光板内に光を前記第１の発光手段における入射の方向とは線対称となる方向から入射する工程と、
他座標を判別するために、前記導光板の一辺に沿って設けられた受光手段により、前記散乱光を受光する工程と、
制御手段により、前記第１及び第２の発光手段に対し、部分的に点灯させる点灯走査又は部分的に非点灯させる非点灯走査を行う工程とを有し、
前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記第１又は第２の発光手段からの光が前記導光板内に入射されて全反射を繰り返しながら前記導光板内を直進することにより前記第１及び第２のタッチエリアに形成される接触点認識可能領域の接触位置下での散乱光の受光に応じて前記接触物による接触が前記第１のタッチエリアであるか前記第２のタッチエリアであるかが識別される
ことを特徴とする位置入力方法。
【請求項６】
接触物によっての入力位置を示す位置データを入力する位置入力方法であって、
一座標を判別するために、一面側にタッチエリアを有し、該タッチエリアへの接触に応じて散乱光を発生させる第１の導光板に、該第１の導光板の一座標方向に設けられた第１の発光手段により、光を所定の方向から入射する工程と、
一座標を判別するために、一面側にタッチエリアを有し、他面側が前記第１の導光板の他面側に重ね合わされ、該タッチエリアへの接触に応じて散乱光を発生させる第２の導光板に、該第２の導光板の一座標方向に設けられた第２の発光手段により、光を所定の方向から入射する工程と、
他座標を判別するために、前記第１の導光板と前記第２の導光板の一辺側でこれらの第１及び第２の導光板の重ね合わせ部分に沿って設けられた受光手段により、前記散乱光を受光する工程と、
制御手段により、前記第１及び第２の発光手段に対し、部分的に点灯させる点灯走査又は部分的に非点灯させる非点灯走査を行う工程とを有し、
前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記受光手段の受光時に前記点灯走査又は非点灯走査させたときの前記第１又は第２の発光手段のいずれかから前記接触物による接触が前記第１の導光板のタッチエリアであるか前記第２の導光板のタッチエリアであるが識別される
ことを特徴とする位置入力方法。
【請求項７】
接触物によっての入力位置を示す位置データを入力する位置入力方法であって、
一座標を判別するために、一面側にタッチエリアを有し、該タッチエリアへの接触に応じて散乱光を発生させる第１の導光板と、一面側にタッチエリアを有し、他面側が前記第１の導光板の他面側に重ね合わされ、該タッチエリアへの接触に応じて散乱光を発生させる第２の導光板とのそれぞれのタッチエリアの領域全体に対応するように、前記第１の導光板と前記第２の導光板の間に設けられた発光手段により、該第１及び第２の導光板内に光を入射する工程と、
他座標を判別するために、前記第１の導光板の一辺に沿って設けられた第１の受光手段により、前記散乱光を受光する工程と、
他座標を判別するために、前記第２の導光板の一辺に沿って設けられた第２の受光手段により、前記散乱光を受光する工程と、
制御手段により、前記発光手段に対し、部分的に点灯させる点灯走査又は部分的に非点灯させる非点灯走査を行う工程とを有し、
前記制御手段により、前記第１及び／又は第２の受光手段によって前記散乱光が受光されたときの座標と、該第１及び／又は第２の受光手段の受光時に前記点灯走査又は非点灯走査させたときの前記発光手段の座標とから、前記接触物による前記第１及び／又は第２の導光板のタッチエリアへの入力位置が特定され、該第１又は第２の受光手段の受光に応じて前記接触物による接触が前記第１の導光板のタッチエリアであるか前記第２の導光板のタッチエリアであるが識別される
ことを特徴とする位置入力方法。
【請求項８】
接触物によっての入力位置を示す位置データを入力する位置入力方法をコンピュータに実行させるための位置入力プログラムであって、
一座標を判別するために、一面側が第１のタッチエリアとされ、他面側が第２のタッチエリアとされ、これら第１及び／又は第２のタッチエリアへの接触に応じて散乱光を発生させる導光板に、該導光板の一座標方向に設けられた第１の発光手段により、光を所定の方向から入射する工程と、
一座標を判別するために、前記第１の発光手段に対応させて設けられた第２の発光手段により、前記導光板内に光を前記第１の発光手段における入射の方向とは線対称となる方向から入射する工程と、
他座標を判別するために、前記導光板の一辺に沿って設けられた受光手段により、前記散乱光を受光する工程と、
制御手段により、前記第１及び第２の発光手段に対し、部分的に点灯させる点灯走査又は部分的に非点灯させる非点灯走査を行う工程とを有し、
前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記第１又は第２の発光手段からの光が前記導光板内に入射されて全反射を繰り返しながら前記導光板内を直進することにより前記第１及び第２のタッチエリアに形成される接触点認識可能領域の接触位置下での散乱光の受光に応じて前記接触物による接触が前記第１のタッチエリアであるか前記第２のタッチエリアであるかが識別される
ことを特徴とする位置入力プログラム。
【請求項９】
接触物によっての入力位置を示す位置データを入力する位置入力方法をコンピュータに実行させるための位置入力プログラムであって、
一座標を判別するために、一面側にタッチエリアを有し、該タッチエリアへの接触に応じて散乱光を発生させる第１の導光板に、該第１の導光板の一座標方向に設けられた第１の発光手段により、光を所定の方向から入射する工程と、
一座標を判別するために、一面側にタッチエリアを有し、他面側が前記第１の導光板の他面側に重ね合わされ、該タッチエリアへの接触に応じて散乱光を発生させる第２の導光板に、該第２の導光板の一座標方向に設けられた第２の発光手段により、光を所定の方向から入射する工程と、
他座標を判別するために、前記第１の導光板と前記第２の導光板の一辺側でこれらの第１及び第２の導光板の重ね合わせ部分に沿って設けられた受光手段により、前記散乱光を受光する工程と、
制御手段により、前記第１及び第２の発光手段に対し、部分的に点灯させる点灯走査又は部分的に非点灯させる非点灯走査を行う工程とを有し、
前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記受光手段の受光時に前記点灯走査又は非点灯走査させたときの前記第１又は第２の発光手段のいずれかから前記接触物による接触が前記第１の導光板のタッチエリアであるか前記第２の導光板のタッチエリアであるが識別される
ことを特徴とする位置入力プログラム。
【請求項１０】
接触物によっての入力位置を示す位置データを入力する位置入力方法をコンピュータに実行させるための位置入力プログラムであって、
一座標を判別するために、一面側にタッチエリアを有し、該タッチエリアへの接触に応じて散乱光を発生させる第１の導光板と、一面側にタッチエリアを有し、他面側が前記第１の導光板の他面側に重ね合わされ、該タッチエリアへの接触に応じて散乱光を発生させる第２の導光板とのそれぞれのタッチエリアの領域全体に対応するように、前記第１の導光板と前記第２の導光板の間に設けられた発光手段により、該第１及び第２の導光板内に光を入射する工程と、
他座標を判別するために、前記第１の導光板の一辺に沿って設けられた第１の受光手段により、前記散乱光を受光する工程と、
他座標を判別するために、前記第２の導光板の一辺に沿って設けられた第２の受光手段により、前記散乱光を受光する工程と、
制御手段により、前記発光手段に対し、部分的に点灯させる点灯走査又は部分的に非点灯させる非点灯走査を行う工程とを有し、
前記制御手段により、前記第１及び／又は第２の受光手段によって前記散乱光が受光されたときの座標と、該第１及び／又は第２の受光手段の受光時に前記点灯走査又は非点灯走査させたときの前記発光手段の座標とから、前記接触物による前記第１及び／又は第２の導光板のタッチエリアへの入力位置が特定され、該第１又は第２の受光手段の受光に応じて前記接触物による接触が前記第１の導光板のタッチエリアであるか前記第２の導光板のタッチエリアであるが識別される
ことを特徴とする位置入力プログラム。
【発明の詳細な説明】
【技術分野】
【０００１】
本発明は、座標位置を示す位置データを入力する位置入力装置、位置入力方法及び位置入力プログラムに関する。
【背景技術】
【０００２】
位置入力装置として、指や専用のペン等で画面に触れることにより、パソコン、ＡＴＭ（Ａｕｔｏｍａｔｉｃ  Ｔｅｌｌｅｒ  Ｍａｃｈｉｎｅ）、ＰＤＡ（Ｐｅｒｓｏｎａｌ  Ｄｉｇｉｔａｌ  Ａｓｓｉｓｔａｎｔ）、ゲーム機等の操作を行うことができるタッチパネルと呼ばれるものが知られている。このタッチパネルは、指や専用のペン等が触れた位置を検知してパネル面上の位置（縦方向座標位置と横方向座標位置）を特定し、その特定した位置を入力信号（位置データ）として上述の各種機器に与えるものである。また、パネル面への接触の感知には、圧力の変化を感知する感圧式、静電気による電気信号を感知する静電式、発光素子と受光素子とを組み合わせた光学式等がある。
【０００３】
ここで、光学式によるものとして、特許文献１では、たとえば図１８に示すように、表示面３０の各辺に、複数の発光素子３１，３２と複数の受光素子３３，３４とを対向させて設け、順次発光を行う発光素子３１，３２から出射され、対向する受光素子３３，３４に入射される光の遮断状態を検出することにより、表示面３０への入力位置を認識する際、隣接する発光素子３１，３２は連続して発光させないようにしたタッチパネルを提案している。
【０００４】
【特許文献１】特開平０７−２０９８５号公報
【発明の開示】
【発明が解決しようとする課題】
【０００５】
上述した特許文献１に示されている光学式のタッチパネルでは、受光素子３３，３４が対向する発光素子３１，３２から放射された光を受光する際、その発光素子３１，３２に隣接する発光素子３１，３２から出射された光を受光しないことから、光学的ノイズが多い場所でタッチパネルを使用したり、操作者が正確にタッチ入力しなくても、誤動作することなく、タッチ入力が確実に検出できるようになっている。
【０００６】
ところで、このようなタッチパネルでは、それぞれ対向関係にある発光素子３１，３２と受光素子３３，３４とを結ぶ同一線上に複数の接触物がある場合、あるいはその同一線上でそれぞれの接触物の一部が重なっている場合、複数の接触物による多点同時入力を行うことができない場合があるという問題がある。
【０００７】
すなわち、図１８において、たとえばＡ点とＤ点、Ｂ点とＣ点のように、発光素子３１，３２と受光素子３３，３４とを結ぶ同一線上でない個所にそれぞれ２個所に指等の接触物がある場合、それぞれ２個所の接触物に発光素子３１，３２からの光が届くため、それぞれの接触物の入力位置の特定を行うことができる。
【０００８】
ところが、Ａ点とＢ点、Ａ点とＣ点、Ｂ点とＤ点のように、発光素子３１，３２と受光素子３３，３４とを結ぶ同一線上のそれぞれ２個所に指等の接触物がある場合、受光素子３３，３４への光が遮られることで判別される座標はそれぞれ１つの一座標（たとえばＸ座標）及び他座標（たとえばＹ座標）となり、それぞれの入力位置の特定を行うことができないことになる。
【０００９】
しかも、たとえばＡ点、Ｂ点、Ｄ点のように３個所に指等の接触物がある場合を見ると、Ｂ点には発光素子３１，３２のいずれかからも光が届かないため、Ｂ点での接触物の入力位置の特定を行うことができないことになる。
【００１０】
このような問題を解消するためには、たとえば図１９に示すように、導光板４０のたとえばＸ座標方向に複数の発光素子４１を並設し、これらの発光素子４１をたとえば点灯走査（部分的な点灯）させて光を導光板４０内に入射し、そのタッチエリア４０ａへの指先５０等の接触位置下で生じる散乱光が導光板４０のたとえばＹ座標方向に沿って設けられた複数の受光素子４２により受光されるようにすることが考えられる。
【００１１】
このようにすると、たとえば同じＹ座標位置において、Ａ点とＢ点、又はＣ点とＤ点とに同時に指先５０等が接触された場合でも、発光素子４１の順次点灯（点灯走査）に応じ、受光素子４１ａが点灯したときと、受光素子４１ｂが点灯したときに、受光素子４２によって受光が順次行われることで、それぞれの接触点である入力位置（Ａ点とＢ点、又はＣ点とＤ点）が特定されるものと考えられる。
【００１２】
また、たとえば同じＸ座標位置において、Ａ点とＣ点、又はＢ点とＤ点とに同時に指先５０等が接触された場合でも、発光素子４１の順次点灯（点灯走査）に応じ、受光素子４２によって受光が順次行われることで、それぞれの接触点である入力位置（Ａ点とＣ点、又はＢ点とＤ点）が特定されるものと考えられる。
【００１３】
当然に、Ａ点〜Ｄ点に同時に指先５０等が接触された場合でも、発光素子４１の順次点灯（点灯走査）に応じ、受光素子４２によって受光が順次行われることで、それぞれの接触点である入力位置（Ａ点〜Ｄ点）が特定されるものと考えられる。
【００１４】
ところで、このような導光板４０を用いる方法では、そのタッチエリア４０ａの反対側の面を、タッチエリア４０ａへの入力位置に応じた内容を表示するディスプレイ面に重ねる必要が無い場合、そのタッチエリア４０ａの反対側の面に指先５０等の接触による接触点があっても、上記同様に、多点同時入力を行うことができる。
【００１５】
ところが、このような導光板４０を用いる方法では、複数の発光素子４１が導光板４０のたとえばＸ座標方向に並設されているため、導光板４０の両面に指先５０等の接触による接触点がある場合、どちらの面での接触点であるかの識別を行うことが不可能となってしまう。
【００１６】
このようなことから、多点同時入力を可能とする導光板４０を用いた場合であって、導光板４０の両面に指先５０等の接触による接触点があっても、どちらの面での接触点であるかの識別を容易に行うことができる装置の開発が望まれていた。
【００１７】
本発明は、このような状況に鑑みてなされたものであり、多点同時入力を可能とする導光板を用いた場合であって、その導光板の両面に接触点があっても、どちらの面での接触点であるかの識別を容易に行うことができる位置入力装置、位置入力方法及び位置入力プログラムを提供することを目的とする。
【課題を解決するための手段】
【００１８】
本発明の位置入力装置は、接触物によっての入力位置を示す位置データを入力する位置入力装置であって、一面側が第１のタッチエリアとされ、他面側が第２のタッチエリアとされ、これら第１及び／又は第２のタッチエリアへの接触に応じて散乱光を発生させる導光板と、一座標を判別するために、前記導光板の一座標方向に設けられ、該導光板内に光を所定の方向から入射する第１の発光手段と、一座標を判別するために、前記第１の発光手段に対応させて設けられ、該導光板内に光を前記第１の発光手段における入射の方向とは線対称となる方向から入射する第２の発光手段と、他座標を判別するために、前記導光板の一辺に沿って設けられ、前記散乱光を受光する受光手段と、前記第１及び第２の発光手段に対し、部分的に点灯させる点灯走査又は部分的に非点灯させる非点灯走査を行う制御手段とを備え、前記制御手段は、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置を特定し、さらに前記第１又は第２の発光手段からの光が前記導光板内に入射されて全反射を繰り返しながら前記導光板内を直進することにより前記第１及び第２のタッチエリアに形成される接触点認識可能領域の接触位置下での散乱光の受光に応じて前記接触物による接触が前記第１のタッチエリアであるか前記第２のタッチエリアであるかを識別することを特徴とする。
【００１９】
本発明の位置入力装置は、接触物によっての入力位置を示す位置データを入力する位置入力装置であって、一面側にタッチエリアを有し、該タッチエリアへの接触に応じて散乱光を発生させる第１の導光板と、一面側にタッチエリアを有し、他面側が前記第１の導光板の他面側に重ね合わされ、該タッチエリアへの接触に応じて散乱光を発生させる第２の導光板と、一座標を判別するために、前記第１の導光板の一座標方向に設けられ、該第１の導光板内に光を所定の方向から入射する第１の発光手段と、一座標を判別するために、前記第２の導光板の一座標方向に設けられ、該第２の導光板内に光を所定の方向から入射する第２の発光手段と、他座標を判別するために、前記第１の導光板と前記第２の導光板の一辺側でこれらの第１及び第２の導光板の重ね合わせ部分に沿って設けられ、前記散乱光を受光する受光手段と、前記第１及び第２の発光手段に対し、部分的に点灯させる点灯走査又は部分的に非点灯させる非点灯走査を行う制御手段とを備え、前記制御手段は、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置を特定し、さらに前記受光手段の受光時に前記点灯走査又は非点灯走査させたときの前記第１又は第２の発光手段のいずれかから前記接触物による接触が前記第１の導光板のタッチエリアであるか前記第２の導光板のタッチエリアであるを識別することを特徴とする。
【００２０】
本発明の位置入力装置は、接触物によっての入力位置を示す位置データを入力する位置入力装置であって、一面側にタッチエリアを有し、該タッチエリアへの接触に応じて散乱光を発生させる第１の導光板と、一面側にタッチエリアを有し、他面側が前記第１の導光板の他面側に重ね合わされ、該タッチエリアへの接触に応じて散乱光を発生させる第２の導光板と、一座標を判別するために、前記第１及び第２の導光板のそれぞれのタッチエリアの領域全体に対応するように、前記第１の導光板と前記第２の導光板の間に設けられ、該第１及び第２の導光板内に光を入射する発光手段と、他座標を判別するために、前記第１の導光板の一辺に沿って設けられ、前記散乱光を受光する第１の受光手段と、他座標を判別するために、前記第２の導光板の一辺に沿って設けられ、前記散乱光を受光する第２の受光手段と、前記発光手段に対し、部分的に点灯させる点灯走査又は部分的に非点灯させる非点灯走査を行う制御手段とを備え、前記制御手段は、前記第１及び／又は第２の受光手段によって前記散乱光が受光されたときの座標と、該第１及び／又は第２の受光手段の受光時に前記点灯走査又は非点灯走査させたときの前記発光手段の座標とから、前記接触物による前記第１及び／又は第２の導光板のタッチエリアへの入力位置を特定し、該第１又は第２の受光手段の受光に応じて前記接触物による接触が前記第１の導光板のタッチエリアであるか前記第２の導光板のタッチエリアであるを識別することを特徴とする。
【００２１】
また、前記制御手段は、前記点灯走査又は前記非点灯走査を時分割で行うようにしてもよい。
【００２２】
本発明の位置入力方法は、接触物によっての入力位置を示す位置データを入力する位置入力方法であって、一座標を判別するために、一面側が第１のタッチエリアとされ、他面側が第２のタッチエリアとされ、これら第１及び／又は第２のタッチエリアへの接触に応じて散乱光を発生させる導光板に、該導光板の一座標方向に設けられた第１の発光手段により、光を所定の方向から入射する工程と、一座標を判別するために、前記第１の発光手段に対応させて設けられた第２の発光手段により、前記導光板内に光を前記第１の発光手段における入射の方向とは線対称となる方向から入射する工程と、他座標を判別するために、前記導光板の一辺に沿って設けられた受光手段により、前記散乱光を受光する工程と、制御手段により、前記第１及び第２の発光手段に対し、部分的に点灯させる点灯走査又は部分的に非点灯させる非点灯走査を行う工程とを有し、前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記第１又は第２の発光手段からの光が前記導光板内に入射されて全反射を繰り返しながら前記導光板内を直進することにより前記第１及び第２のタッチエリアに形成される接触点認識可能領域の接触位置下での散乱光の受光に応じて前記接触物による接触が前記第１のタッチエリアであるか前記第２のタッチエリアであるかが識別されることを特徴とする。
【００２３】
本発明の位置入力方法は、接触物によっての入力位置を示す位置データを入力する位置入力方法であって、一座標を判別するために、一面側にタッチエリアを有し、該タッチエリアへの接触に応じて散乱光を発生させる第１の導光板に、該第１の導光板の一座標方向に設けられた第１の発光手段により、光を所定の方向から入射する工程と、一座標を判別するために、一面側にタッチエリアを有し、他面側が前記第１の導光板の他面側に重ね合わされ、該タッチエリアへの接触に応じて散乱光を発生させる第２の導光板に、該第２の導光板の一座標方向に設けられた第２の発光手段により、光を所定の方向から入射する工程と、他座標を判別するために、前記第１の導光板と前記第２の導光板の一辺側でこれらの第１及び第２の導光板の重ね合わせ部分に沿って設けられた受光手段により、前記散乱光を受光する工程と、制御手段により、前記第１及び第２の発光手段に対し、部分的に点灯させる点灯走査又は部分的に非点灯させる非点灯走査を行う工程とを有し、前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記受光手段の受光時に前記点灯走査又は非点灯走査させたときの前記第１又は第２の発光手段のいずれかから前記接触物による接触が前記第１の導光板のタッチエリアであるか前記第２の導光板のタッチエリアであるが識別されることを特徴とする。
【００２４】
本発明の位置入力方法は、接触物によっての入力位置を示す位置データを入力する位置入力方法であって、一座標を判別するために、一面側にタッチエリアを有し、該タッチエリアへの接触に応じて散乱光を発生させる第１の導光板と、一面側にタッチエリアを有し、他面側が前記第１の導光板の他面側に重ね合わされ、該タッチエリアへの接触に応じて散乱光を発生させる第２の導光板とのそれぞれのタッチエリアの領域全体に対応するように、前記第１の導光板と前記第２の導光板の間に設けられた発光手段により、該第１及び第２の導光板内に光を入射する工程と、他座標を判別するために、前記第１の導光板の一辺に沿って設けられた第１の受光手段により、前記散乱光を受光する工程と、他座標を判別するために、前記第２の導光板の一辺に沿って設けられた第２の受光手段により、前記散乱光を受光する工程と、制御手段により、前記発光手段に対し、部分的に点灯させる点灯走査又は部分的に非点灯させる非点灯走査を行う工程とを有し、前記制御手段により、前記第１及び／又は第２の受光手段によって前記散乱光が受光されたときの座標と、該第１及び／又は第２の受光手段の受光時に前記点灯走査又は非点灯走査させたときの前記発光手段の座標とから、前記接触物による前記第１及び／又は第２の導光板のタッチエリアへの入力位置が特定され、該第１又は第２の受光手段の受光に応じて前記接触物による接触が前記第１の導光板のタッチエリアであるか前記第２の導光板のタッチエリアであるが識別されることを特徴とする。
【００２５】
本発明の位置入力プログラムは、接触物によっての入力位置を示す位置データを入力する位置入力方法をコンピュータに実行させるための位置入力プログラムであって、一座標を判別するために、一面側が第１のタッチエリアとされ、他面側が第２のタッチエリアとされ、これら第１及び／又は第２のタッチエリアへの接触に応じて散乱光を発生させる導光板に、該導光板の一座標方向に設けられた第１の発光手段により、光を所定の方向から入射する工程と、一座標を判別するために、前記第１の発光手段に対応させて設けられた第２の発光手段により、前記導光板内に光を前記第１の発光手段における入射の方向とは線対称となる方向から入射する工程と、他座標を判別するために、前記導光板の一辺に沿って設けられた受光手段により、前記散乱光を受光する工程と、制御手段により、前記第１及び第２の発光手段に対し、部分的に点灯させる点灯走査又は部分的に非点灯させる非点灯走査を行う工程とを有し、前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記第１又は第２の発光手段からの光が前記導光板内に入射されて全反射を繰り返しながら前記導光板内を直進することにより前記第１及び第２のタッチエリアに形成される接触点認識可能領域の接触位置下での散乱光の受光に応じて前記接触物による接触が前記第１のタッチエリアであるか前記第２のタッチエリアであるかが識別されることを特徴とする。
【００２６】
本発明の位置入力プログラムは、接触物によっての入力位置を示す位置データを入力する位置入力方法をコンピュータに実行させるための位置入力プログラムであって、一座標を判別するために、一面側にタッチエリアを有し、該タッチエリアへの接触に応じて散乱光を発生させる第１の導光板に、該第１の導光板の一座標方向に設けられた第１の発光手段により、光を所定の方向から入射する工程と、一座標を判別するために、一面側にタッチエリアを有し、他面側が前記第１の導光板の他面側に重ね合わされ、該タッチエリアへの接触に応じて散乱光を発生させる第２の導光板に、該第２の導光板の一座標方向に設けられた第２の発光手段により、光を所定の方向から入射する工程と、他座標を判別するために、前記第１の導光板と前記第２の導光板の一辺側でこれらの第１及び第２の導光板の重ね合わせ部分に沿って設けられた受光手段により、前記散乱光を受光する工程と、制御手段により、前記第１及び第２の発光手段に対し、部分的に点灯させる点灯走査又は部分的に非点灯させる非点灯走査を行う工程とを有し、前記制御手段により、前記受光手段によって前記散乱光が受光されたときの座標と、該受光手段の受光時に前記点灯走査又は非点灯走査させたときの前記第１又は第２の発光手段の座標とから、前記接触物による前記第１及び／又は第２のタッチエリアへの入力位置が特定され、さらに前記受光手段の受光時に前記点灯走査又は非点灯走査させたときの前記第１又は第２の発光手段のいずれかから前記接触物による接触が前記第１の導光板のタッチエリアであるか前記第２の導光板のタッチエリアであるが識別されることを特徴とする。
【００２７】
本発明の位置入力プログラムは、接触物によっての入力位置を示す位置データを入力する位置入力方法をコンピュータに実行させるための位置入力プログラムであって、一座標を判別するために、一面側にタッチエリアを有し、該タッチエリアへの接触に応じて散乱光を発生させる第１の導光板と、一面側にタッチエリアを有し、他面側が前記第１の導光板の他面側に重ね合わされ、該タッチエリアへの接触に応じて散乱光を発生させる第２の導光板とのそれぞれのタッチエリアの領域全体に対応するように、前記第１の導光板と前記第２の導光板の間に設けられた発光手段により、該第１及び第２の導光板内に光を入射する工程と、他座標を判別するために、前記第１の導光板の一辺に沿って設けられた第１の受光手段により、前記散乱光を受光する工程と、他座標を判別するために、前記第２の導光板の一辺に沿って設けられた第２の受光手段により、前記散乱光を受光する工程と、制御手段により、前記発光手段に対し、部分的に点灯させる点灯走査又は部分的に非点灯させる非点灯走査を行う工程とを有し、前記制御手段により、前記第１及び／又は第２の受光手段によって前記散乱光が受光されたときの座標と、該第１及び／又は第２の受光手段の受光時に前記点灯走査又は非点灯走査させたときの前記発光手段の座標とから、前記接触物による前記第１及び／又は第２の導光板のタッチエリアへの入力位置が特定され、該第１又は第２の受光手段の受光に応じて前記接触物による接触が前記第１の導光板のタッチエリアであるか前記第２の導光板のタッチエリアであるが識別されることを特徴とする。
【００２８】
本発明の位置入力装置、位置入力方法及び位置入力プログラムでは、一座標を判別するために、一面側が第１のタッチエリアとされ、他面側が第２のタッチエリアとされ、これら第１及び／又は第２のタッチエリアへの接触に応じて散乱光を発生させる導光板に、該導光板の一座標方向に設けられた第１の発光手段により、制御手段によるたとえば点灯走査によって光を所定の方向から入射し、一座標を判別するために、第１の発光手段に対応させて設けられた第２の発光手段により、制御手段によるたとえば点灯走査によって導光板内に光を第１の発光手段における入射の方向とは線対称となる方向から入射し、他座標を判別するために、導光板の一辺に沿って設けられた受光手段により散乱光が受光されると、制御手段により、受光手段によって散乱光が受光されたときの座標と、該受光手段の受光時にたとえば点灯走査させたときの第１又は第２の発光手段の座標とから、接触物による第１及び／又は第２のタッチエリアへの入力位置が特定され、さらに第１又は第２の発光手段からの光が導光板内に入射されて全反射を繰り返しながら導光板内を直進することにより第１及び第２のタッチエリアに形成される接触点認識可能領域の接触位置下での散乱光の受光に応じて接触物による接触が第１のタッチエリアであるか第２のタッチエリアであるかが識別される。
【発明の効果】
【００２９】
本発明の位置入力装置、位置入力方法及び位置入力プログラムによれば、制御手段により、受光手段によって散乱光が受光されたときの座標と、該受光手段の受光時にたとえば点灯走査させたときの第１又は第２の発光手段の座標とから、接触物による第１及び／又は第２のタッチエリアへの入力位置が特定され、さらに第１又は第２の発光手段からの光が導光板内に入射されて全反射を繰り返しながら導光板内を直進することにより第１及び第２のタッチエリアに形成される接触点認識可能領域の接触位置下での散乱光の受光に応じて接触物による接触が第１のタッチエリアであるか第２のタッチエリアであるかが識別されるようにしたので、多点同時入力を可能とする導光板を用いた場合であって、その導光板の両面に接触点があっても、どちらの面での接触点であるかの識別を容易に行うことができる。
【発明を実施するための最良の形態】
【００３０】
本実施形態では、一座標を判別するために、一面側が第１のタッチエリアとされ、他面側が第２のタッチエリアとされ、これら第１及び／又は第２のタッチエリアへの接触に応じて散乱光を発生させる導光板に、該導光板の一座標方向に設けられた第１の発光手段により、制御手段によるたとえば点灯走査によって光を所定の方向から入射し、一座標を判別するために、第１の発光手段に対応させて設けられた第２の発光手段により、制御手段によるたとえば点灯走査によって導光板内に光を第１の発光手段における入射の方向とは線対称となる方向から入射し、他座標を判別するために、導光板の一辺に沿って設けられた受光手段により散乱光が受光されると、制御手段により、受光手段によって散乱光が受光されたときの座標と、該受光手段の受光時にたとえば点灯走査させたときの第１又は第２の発光手段の座標とから、接触物による第１及び／又は第２のタッチエリアへの入力位置が特定されるようにした。
【００３１】
この場合、制御手段により、第１又は第２の発光手段からの光が導光板内に入射されて全反射を繰り返しながら導光板内を直進することにより第１及び第２のタッチエリアに形成される接触点認識可能領域の接触位置下での散乱光の受光に応じて接触物による接触が第１のタッチエリアであるか第２のタッチエリアであるかが識別されることから、多点同時入力を可能とする導光板を用いた場合であって、その導光板の両面に接触点があっても、どちらの面での接触点であるかの識別が容易に行われる。
【００３２】
また、一座標を判別するために、一面側にタッチエリアを有し、該タッチエリアへの接触に応じて散乱光を発生させる第１の導光板に、該第１の導光板の一座標方向に設けられた第１の発光手段により、光を所定の方向から入射し、一座標を判別するために、一面側にタッチエリアを有し、他面側が第１の導光板の他面側に重ね合わされ、該タッチエリアへの接触に応じて散乱光を発生させる第２の導光板に、該第２の導光板の一座標方向に設けられた第２の発光手段により、光を所定の方向から入射し、他座標を判別するために、第１の導光板と第２の導光板の一辺側でこれらの第１及び第２の導光板の重ね合わせ部分に沿って設けられた受光手段により、散乱光を受光するようにした場合には、制御手段により、受光手段によって散乱光が受光されたときの座標と、該受光手段の受光時に点灯走査又は非点灯走査させたときの第１又は第２の発光手段の座標とから、接触物による第１及び／又は第２のタッチエリアへの入力位置が特定され、さらに受光手段の受光時に点灯走査又は非点灯走査させたときの第１又は第２の発光手段のいずれかから接触物による接触が第１の導光板のタッチエリアであるか第２の導光板のタッチエリアであるが識別される。
【００３３】
また、一座標を判別するために、一面側にタッチエリアを有し、該タッチエリアへの接触に応じて散乱光を発生させる第１の導光板と、一面側にタッチエリアを有し、他面側が第１の導光板の他面側に重ね合わされ、該タッチエリアへの接触に応じて散乱光を発生させる第２の導光板とのそれぞれのタッチエリアの領域全体に対応するように、第１の導光板と第２の導光板の間に設けられた発光手段により、該第１及び第２の導光板内に光を入射し、他座標を判別するために、第１の導光板の一辺に沿って設けられた第１の受光手段により、散乱光を受光し、他座標を判別するために、第２の導光板の一辺に沿って設けられた第２の受光手段により、散乱光を受光するようにした場合には、制御手段により、第１及び／又は第２の受光手段によって散乱光が受光されたときの座標と、該第１及び／又は第２の受光手段の受光時に点灯走査又は非点灯走査させたときの発光手段の座標とから、接触物による第１及び／又は第２の導光板のタッチエリアへの入力位置が特定され、該第１又は第２の受光手段の受光に応じて接触物による接触が第１の導光板のタッチエリアであるか第２の導光板のタッチエリアであるが識別される。
【実施例】
【００３４】
以下、本発明の実施例の詳細について説明する。図１は本発明の位置入力装置の一実施例を示す図であり、図２は図１の導光板における発光素子及び受光素子の配設状態等を説明するための図であり、図３及び図４は図１の位置入力装置の使用例を説明するための図である。
【００３５】
これらの図に示すように、位置入力装置１は、導光板２と、複数の発光素子３Ａ，３Ｂと、複数の受光素子４と、入力位置検出部５とを備えている。ここで、発光素子３Ａは第１の発光手段であり、発光素子３Ｂは第２の発光手段であり、複数の受光素子４は受光手段である。
【００３６】
導光板２は、複数の発光素子３Ａ，３Ｂからの光を導くものであり、図２に示すように、その表面及び裏面が第１のタッチエリアとしての表面タッチエリア２ａ及び第２のタッチエリアとしての裏面タッチエリア２ｂとなっている。
【００３７】
また、位置入力装置１は、たとえば図３に示すように、ユーザ１０Ａ，１０Ｂが対面できるように縦置きとされ、たとえば図４に示すように、それぞれのユーザ１０Ａ，１０Ｂが表面タッチエリア２ａ及び裏面タッチエリア２ｂに指先１０ａ，１０ｂ等を接触させると、それぞれの接触位置下を進行する光を散乱させる。
【００３８】
ここで、表面タッチエリア２ａ及び裏面タッチエリア２ｂに指先１０ａ，１０ｂ等が接触して生じる散乱は、それぞれの表面タッチエリア２ａ及び裏面タッチエリア２ｂでの指先１０等の接触点における境界面での屈折率が変化することによって生じるものである。また、その散乱による散乱光は、複数の受光素子４のいずれかで受光されるが、その詳細については後述する。
【００３９】
また、導光板２の一辺側の側端部（図１では下辺側の側端部）には、図２に示すように先細りとなるテーパー部２ｃ，２ｄが設けられている。これらのテーパー部２ｃ，２ｄには、一座標方向の座標位置であるたとえばＸ座標位置を判別するための複数の発光素子３Ａ，３Ｂが設けられているものである。また、これらの複数の発光素子３Ａ，３Ｂは、導光板２内に光を入射できるように、導光板２のテーパー部２ｃ，２ｄに並設されている。
【００４０】
ここで、発光素子３Ａは、表面タッチエリア２ａでの指先１０ａ等の接触による接触点のＸ座標位置を判別するためのものであり、それぞれの発光素子３Ａからの光がテーパー部２ｃから導光板２内に入射されると、その光が導光板２内をその入射方向に沿って、表面タッチエリア２ａとその反対側の面である裏面タッチエリア２ｂとの間で反射を繰り返しながら進行し、表面タッチエリア２ａの指先１０ａ等の接触位置下で散乱する。
【００４１】
また、発光素子３Ｂは、裏面タッチエリア２ｂでの指先１０ｂ等の接触による接触点のＸ座標位置を判別するためのものであり、それぞれの発光素子３Ｂからの光がテーパー部２ｄから導光板２内に入射されると、その光が導光板２内をその入射方向に沿って、裏面タッチエリア２ｂとその反対側の面である表面タッチエリア２ａとの間で反射を繰り返しながら進行し、裏面タッチエリア２ｂの指先１０ｂ等の接触位置下で散乱する。
【００４２】
なお、これらの発光素子３Ａ，３Ｂは、後述の制御部５ｅによって発光されるが、その詳細については後述する。
【００４３】
複数の受光素子４は、他座標方向の座標位置であるたとえばＹ座標位置を判別するために設けられているものである。また、複数の受光素子４は、導光板２内からの光（散乱光）を受光できるように、導光板２の他辺側の側端面（図１では右辺側の側端面）に並設されている。
【００４４】
ここで、複数の受光素子４が並設される他辺側は、複数の発光素子３Ａ，３Ｂが併設されている１辺側とは対向しない辺側である。これにより、それぞれの受光素子４は、表面タッチエリア２ａ及び裏面タッチエリア２ｂでの指先１０ａ，１０ｂ等の接触位置下で発生する散乱光のうち、発光素子３Ａ，３Ｂからの光の進行方向に対してほぼ直交する方向に進む散乱光を受光することになる。
【００４５】
なお、上述の発光素子３Ａ，３Ｂとしては、たとえば赤外線波長（ピーク発光波長）が８７０ｎｍで、半値角が±５°の赤外線ＬＥＤを用いることができる。また、上述の受光素子４としては、たとえば赤外線ピーク感度波長が８７０ｎｍで、半値角が±１５°のフォトトランジスタを用いることができる。また、導光板２としては、たとえばアクリル板（屈折率約１．４９；全反射角（臨界角）４２．２°）等を用いることができる。
【００４６】
この場合、発光素子３Ａ，３Ｂの後述の入射角θを臨界角４２．２°に近い値に設定することができる。また、アクリル板の厚さは、良好な入力位置感度が得られる例として２ｍｍに設定することができる。
【００４７】
発光素子駆動部５ａは、制御手段としての制御部５ｅの制御により、発光素子３Ａ，３Ｂをたとえば順次点灯（点灯走査）させる。ここで、発光素子３Ａ，３Ｂの順次点灯（点灯走査）に際しては、図１中右端の発光素子３Ａ，３Ｂから順に、又は図中左端の発光素子３Ａ，３Ｂから順に行わせることができる（なお、図１では、発光素子３Ｂが隠れていて見えないが、発光素子３Ａと同様に、発光素子３Ａの下方に並列されている）。
【００４８】
また、発光素子３Ａ，３Ｂをたとえば順次点灯（点灯走査）させる際、これらの発光素子３Ａ，３Ｂが順次発光されるようになっている。すなわち、たとえば図１中右端の発光素子３Ａ，３Ｂから順に順次点灯（点灯走査）されるものとすると、その右端の発光素子３Ａが発光して全ての受光素子４による散乱光の受光（接触点がある場合）が行われ、その右端の発光素子３Ａが消灯した後、その右端の発光素子３Ａの下方に位置する発光素子３Ｂが発光して全ての受光素子４による散乱光の受光（接触点がある場合）が行われる、というように発光素子３Ａ，３Ｂの発光及び消灯が交互に行われる。
【００４９】
また、発光素子３Ａ，３Ｂの順次点灯（点灯走査）に際しては、それぞれの発光素子３Ａ，３Ｂをランダムに点灯させるようにしてもよい。また、それぞれの発光素子３Ａ，３Ｂを順次点灯（点灯走査）させるタイミングは、たとえば全ての発光素子３Ａ，３Ｂを点灯させておいて、受光素子４のいずれかによって受光があった場合とすることができる。
【００５０】
ここで、たとえば発光素子３Ａ，３Ｂを順次点灯（点灯走査）させるとき、全ての発光素子３Ａ，３Ｂを一旦消灯させてから、発光素子３Ａ，３Ｂを順次点灯（点灯走査）させるようにする。これにより、いずれかの発光素子３Ａ，３Ｂの点灯時にいずれかの受光素子４によっての受光があれば、その発光素子３Ａ，３ＢによるＸ座標位置とその受光素子４によるＹ座標位置とが判別される。
【００５１】
この場合、発光素子３Ａの点灯時に受光素子４によっての受光があれば、表面タッチエリア２ａにおける単一の接触点である単一の入力位置（Ａ点又はＢ点）等が特定されることになる。また、発光素子３Ｂの点灯時に受光素子４によっての受光があれば、裏面タッチエリア２ｂにおける単一の接触点である単一の入力位置（Ａ点又はＢ点）等が特定されることになる。
【００５２】
また、発光素子３Ａの順次点灯（点灯走査）によって複数の受光素子４による受光があれば、表面タッチエリア２ａでの複数のＸ座標位置と、それぞれの受光素子４による複数のＹ座標位置とが判別され、表面タッチエリア２ａにおける複数の接触点である複数の入力位置（Ａ点及びＢ点）等が特定されることになる。
【００５３】
同様に、発光素子３Ｂの順次点灯（点灯走査）によって複数の受光素子４による受光があれば、裏面タッチエリア２ｂでの複数のＸ座標位置と、それぞれの受光素子４による複数のＹ座標位置とが判別され、裏面タッチエリア２ｂにおける複数の接触点である複数の入力位置（Ａ点及びＢ点）等が特定されることになる。
【００５４】
これは、発光素子３Ａ，３Ｂの順次点灯（点灯走査）に応じ、受光素子４によって受光が順次行われることで、それぞれの接触点の入力位置が特定されることによるためである。
【００５５】
また、表面タッチエリア２ａにおける同じＹ座標位置において、Ｂ点とＣ点とに同時に指先１０ａ等が接触された場合でも、発光素子３Ａの順次点灯（点灯走査）に応じ、受光素子４によって受光が順次行われることで、それぞれの入力位置（Ｂ点及びＣ点）が特定されることになる。
【００５６】
同様に、裏面タッチエリア２ｂにおける同じＹ座標位置において、Ｂ点とＣ点とに同時に指先１０ｂが接触された場合でも、発光素子３Ｂの順次点灯（点灯走査）に応じ、受光素子４によって受光が順次行われることで、それぞれの入力位置（Ｂ点及びＣ点）が特定されることになる。
【００５７】
また、表面タッチエリア２ａにおける同じＸ座標位置において、Ａ点とＣ点とに同時に指先１０ａ等が接触された場合でも、それぞれの接触位置下で散乱光が生じるため、それぞれの入力位置（Ａ点及びＣ点）が特定されることになる。
【００５８】
同様に、裏面タッチエリア２ｂにおける同じＸ座標位置において、Ａ点とＣ点とに同時に指先１０ｂ等が接触された場合でも、それぞれの接触位置下で散乱光が生じるため、それぞれの入力位置（Ａ点及びＣ点）が特定されることになる。
【００５９】
このようなことから、表面タッチエリア２ａや裏面タッチエリア２ｂのいずれの位置に複数の接触点があっても、それぞれの接触位置下で散乱光が生じるため、表面タッチエリア２ａや裏面タッチエリア２ｂでの多点同時入力が可能となる。
【００６０】
なお、発光素子３Ａ，３Ｂの走査にあっては順次点灯（点灯走査）に限らず、図中右端の発光素子３Ａ，３Ｂから順に、又は図中左端の発光素子３Ａ，３Ｂから順に順次消灯（消灯走査）させることでも、上記同様に、単一又は複数のＸ座標位置と単一又は複数のＹ座標位置とを判別して表面タッチエリア２ａ及び裏面タッチエリア２ｂにおける単一の入力位置（Ａ点、Ｂ点又はＣ点）又は複数の入力位置（Ａ点、Ｂ点及びＣ点）を特定することが可能である。
【００６１】
すなわち、このような順次消灯（消灯走査）にあっては、表面タッチエリア２ａの場合、全ての発光素子３Ａが一旦点灯しているため、いずれかの発光素子３Ａによって上述した散乱光の受光が行われているとすると、いずれかの発光素子３Ａが消灯されたときに、散乱光を受光中のいずれかの受光素子４の受光量が低下すれば、その受光量が低下したときの発光素子３Ａと受光素子４とから単一又は複数のＸ座標位置と単一又は複数のＹ座標位置とを判別することができるためである。
【００６２】
このことは、裏面タッチエリア２ｂの場合も同様に、全ての発光素子３Ｂが一旦点灯しているため、いずれかの発光素子３Ｂによって上述した散乱光の受光が行われているとすると、いずれかの発光素子３Ｂが消灯されたときに、散乱光を受光中のいずれかの受光素子４の受光量が低下すれば、その受光量が低下したときの発光素子３Ｂと受光素子４とから単一又は複数のＸ座標位置と単一又は複数のＹ座標位置とを判別することができる。
【００６３】
受光素子駆動部５ｂは、制御部５ｅの制御により、全ての受光素子４による受光動作を行わせる。受光量計測部５ｃは、制御部５ｅの制御により、上述の散乱光を受光した受光素子４における受光量を計測する。なお、受光量の計測に際しては、たとえば所定のしきい値を設けておいて、その所定のしきい値を超えた場合の光量を計測するようにすることで、受光量の計測をより確実に行うことができる。
【００６４】
入力位置データ出力部５ｄは、制御部５ｅの制御により、順次点灯（点灯走査）又は順次消灯（消灯走査）によって判別される単一又は複数のＸ座標位置と単一又は複数のＹ座標位置とに基づいて特定された表面タッチエリア２ａ及び／又は裏面タッチエリア２ｂにおける入力位置を示すデータを出力する。なお、表面タッチエリア２ａ及び／又は裏面タッチエリア２ｂにおける入力位置が複数である場合は、それぞれの入力位置を示すデータが出力されることになる。
【００６５】
制御部５ｅは、表面タッチエリア２ａ及び／又は裏面タッチエリア２ｂにおける入力位置の特定の判定を行うために、上述した発光素子駆動部５ａ、受光素子駆動部５ｂ及び受光量計測部５ｃを駆動させるとともに、その特定及び判定した表面タッチエリア２ａ及び／又は裏面タッチエリア２ｂにおける単一又は複数の入力位置を示すデータを入力位置データ出力部５ｄから出力させる。
【００６６】
なお、上述したそれぞれの発光素子３Ａ，３Ｂ及び受光素子４にあっては、Ｘ座標位置及びＹ座標位置を判別する必要性から、指向性があることが望ましい。また、それぞれの発光素子３Ａ，３Ｂ及び受光素子４の数にあっては、位置入力装置１の用途に応じて適宜決定すればよく、それぞれの数を増やすことで、表面タッチエリア２ａや裏面タッチエリア２ｂにおける入力位置の判定を行う際の分解能を高めることが可能となる。
【００６７】
また、複数の発光素子３Ａ，３Ｂにあっては、１つの光源をシャッター機構等によって走査できるような構成としてもよい。また、複数の受光素子４にあっては、一つのラインセンサやイメージセンサで置き換え、受光状況の解析結果からＹ座標位置の識別の判定ができるようにしてもよい。
【００６８】
次に、図５を参照し、位置入力装置１の導光板２の基本原理について説明する。まず、図５（ａ）に示すように、導光板２の側端部２ｅを入射面としてたとえば発光素子３Ａ（又は３Ｂ）を配置したとすると、発光素子３Ａ（又は３Ｂ）から出射された赤外線光（図では入射角θの場合で示している）は、導光板２内に入射されて全反射を繰り返しながら導光板２内を直進する。
【００６９】
導光板２は、入射される赤外線光の波長に比べて十分に大きい厚さを有するものであり、図５（ａ）のように、表面タッチエリア２ａにたとえば指先１０ａ等が接触していないとき、入射された赤外線光は幅方向に散乱することなく直線的に進行する。
【００７０】
これに対し、図５（ｂ）に示すように、導光板２の表面タッチエリア２ａにたとえば指先１０ａ等が接触すると、その接触点下の導光板２の相対屈折率が変化し、入射された赤外線光がその接触点下で散乱を起こす。そして、導光板２に入射された赤外線光の進行方向に対し、直交方向（図１参照）に進んだ散乱光は受光素子４によって受光される。
【００７１】
このようなことは、導光板２の裏面タッチエリア２ｂに上述したたとえば指先１０ｂ等が接触した場合でも同様である。
【００７２】
ここで、表面タッチエリア２ａや裏面タッチエリア２ｂでの入力位置の特定を行う際の感度を上げるためには、指先１０ａ，１０ｂ等の接触によって確実に散乱光が生じるようにする必要があり、全反射の繰り返し回数が多い方がよい。そのためには、導光板２をある程度板厚を薄くする（２〜５ｍｍ程度）ことが好ましい。
【００７３】
また、たとえば発光素子３Ａ（又は３Ｂ）からの赤外線光を導光板２の側端部２ｅから導光板２内に入射させるには、導光板２の屈折率や周囲の屈折率等によって決められるスネルの法則に従い、入射角θに向けた光の入射が必要となる。このことは、上述した発光素子３Ｂの場合も同様である。そこで、導光板２内に赤外線光を損失無く入射させるためには、図５（ｃ）に示すように、側端部２ｅの端面に対して入射角θだけ光出射方向を傾けて発光素子３Ａ（又は３Ｂ）を配置することが好ましい。
【００７４】
この場合、図５（ｄ）に示すように、導光板２の側端部２ｅを、上記の入射角θに応じた傾斜面とすれば、発光素子３Ａ（又は３Ｂ）の光出射方向と側端部２ｅとの位置合わせを容易に行うことができるばかりか、導光板２内に赤外線光を損失無く入射させることが可能となる。
【００７５】
よって、図５（ｅ）に示すように、光出射方向の角度を変えた複数の発光素子３Ａ，３Ｂからの赤外線光を導光板２内に入射するようにすると、それぞれの発光素子３Ａ，３Ｂからの光が表面タッチエリア２ａと裏面タッチエリア２ｂとの間を全反射を繰り返しながら直進することができる。
【００７６】
次に、図６〜図８を参照し、図１の位置入力装置の発光素子３Ａ，３Ｂによる順次点灯（点灯走査）の動作例について説明する。
【００７７】
まず、図６に示すように、表面タッチエリア２ａ側に設けられている発光素子３Ａを図中左側から順にＬ１０１〜Ｌ１１２とし、裏面タッチエリア２ｂ側に設けられている発光素子３Ｂを同様にＬ２０１〜Ｌ２１２とし、受光素子４を、図中上から順にＰ１〜Ｐ９とするものとする。
【００７８】
ここで、表面タッチエリア２ａ側に設けられているＬ１０１〜Ｌ１１２から順次点灯（点灯走査）が行われるものとすると、まずＬ１０１が順次点灯（点灯走査）され、Ｐ１〜Ｐ９での測定が行われた後、Ｌ１０１が消灯となる。次に、Ｌ１０２が順次点灯（点灯走査）され、Ｐ１〜Ｐ９での測定が行われた後、Ｌ１０２が消灯となる。以降、同様にしてＬ１０３〜Ｌ１１２による順次点灯（点灯走査）→Ｐ１〜Ｐ９での測定→消灯が繰り返される。
【００７９】
次に、裏面タッチエリア２ｂ側に設けられているＬ２０１が順次点灯（点灯走査）され、Ｐ１〜Ｐ９での測定が行われた後、Ｌ２０１が消灯となる。次に、Ｌ２０２が順次点灯（点灯走査）され、Ｐ１〜Ｐ９での測定が行われた後、Ｌ２０２が消灯となる。以降、同様にしてＬ２０３〜Ｌ２１２による順次点灯（点灯走査）→Ｐ１〜Ｐ９での測定→消灯が繰り返される。
【００８０】
なお、ここでは、表面タッチエリア２ａ側に設けられているＬ１０１〜Ｌ１１２から順に順次点灯（点灯走査）が行われるものとしているが、裏面タッチエリア２ｂ側に設けられているＬ２０１〜Ｌ２１２から順に順次点灯（点灯走査）が行われるようにしてもよい。
【００８１】
また、表面タッチエリア２ａ側に設けられているＬ１０１〜Ｌ１１２がＬ１０１からＬ１１２にかけて順番に順次点灯（点灯走査）が行われるものとしているが、Ｌ１０１〜Ｌ１１２までランダムな順次点灯（点灯走査）が行われるようにしてもよい。
【００８２】
また、裏面タッチエリア２ｂ側に設けられているＬ２０１〜Ｌ２１２がＬ２０１からＬ２１２にかけて順番に順次点灯（点灯走査）が行われるものとしているが、Ｌ２０１〜Ｌ２１２までランダムな順次点灯（点灯走査）が行われるようにしてもよい。
【００８３】
また、表面タッチエリア２ａ側に設けられているＬ１０１〜Ｌ１１２のいずれかと、裏面タッチエリア２ｂ側に設けられているＬ２０１〜Ｌ２１２のいずれかとが交互に順次点灯（点灯走査）が行われるようにしてもよい。
【００８４】
ここで、表面タッチエリア２ａ側に設けられているＬ１０１〜Ｌ１１２が順次点灯（点灯走査）されることで、図７に示すように、表面タッチエリア２ａと裏面タッチエリア２ｂとに接触点認識可能領域ａ１〜ａ９が形成される。また、裏面タッチエリア２ｂ側に設けられているＬ２０１〜Ｌ２１２が順次点灯（点灯走査）されることで、同様に、表面タッチエリア２ａと裏面タッチエリア２ｂとに接触点認識可能領域ｂ１〜ｂ９が形成される。
【００８５】
これは、それぞれの発光素子３Ａ，３Ｂが上述したように、導光板２の一辺側の側端部（図１では下辺側の側端部）の先細りとなるテーパー部２ｃ，２ｄに並設されていることで、それぞれのテーパー部２ｃ，２ｄから入射された光が表面タッチエリア２ａと裏面タッチエリア２ｂとの間で反射を繰り返しながら進行するためである。
【００８６】
このとき、複数の発光素子３Ａからの赤外線光の入射の方向と、複数の発光素子３Ｂからの赤外線の入射の方向とが線対称となるようにすることで、接触点認識可能領域ａ１〜ａ９と接触点認識可能領域ｂ１〜ｂ９とが交互に等間隔で形成されるようにすることができる。
【００８７】
この場合、たとえばテーパー部２ｃ，２ｄの傾斜角度に応じて、上述した接触点認識可能領域ａ１〜ａ９及び接触点認識可能領域ｂ１〜ｂ９の位置が変わることになるため、それぞれの接触点認識可能領域ａ１〜ａ９及び接触点認識可能領域ｂ１〜ｂ９の位置が受光素子４のＰ１〜Ｐ９に対応するように設定すればよい。
【００８８】
また、この場合、それぞれの接触点認識可能領域ａ１〜ａ９及び接触点認識可能領域ｂ１〜ｂ９の位置に応じて受光素子４のＰ１〜Ｐ９の位置を決定するようにしてもよい。
【００８９】
このようにすると、図８に示すように、たとえば接触点認識可能領域ａ２，ｂ２に指先１０ａ，１０ｂ等が接触されているとき、発光素子３ＡのＬ１０１〜Ｌ１１２が順次点灯（点灯走査）されることで、接触点認識可能領域ａ２側の接触点のみが検出されることになり、その接触点が表面タッチエリア２ａであることが認識される。この場合、接触点認識可能領域ｂ２側の接触点が検出されないことになる。
【００９０】
また、たとえば接触点認識可能領域ａ２，ｂ２に指先１０ａ，１０ｂ等が接触されているとき、発光素子３ＢのＬ２０１〜Ｌ２１２が順次点灯（点灯走査）されることで、接触点認識可能領域ｂ２側の接触点のみが検出されることになり、その接触点が裏面タッチエリア２ｂであることが認識される。この場合、接触点認識可能領域ａ２側の接触点が検出されないことになる。
【００９１】
また、たとえば接触点認識可能領域ａ７，ｂ７に指先１０ａ，１０ｂ等が接触されているとき、発光素子３ＡのＬ１０１〜Ｌ１１２が順次点灯（点灯走査）されることで、接触点認識可能領域ａ７側の接触点のみが検出されることになり、その接触点が裏面タッチエリア２ｂであることが認識される。この場合、接触点認識可能領域ｂ７側の接触点が検出されないことになる。
【００９２】
また、たとえば接触点認識可能領域ａ７，ｂ７に指先１０ａ，１０ｂ等が接触されているとき、発光素子３ＢのＬ２０１〜Ｌ２１２が順次点灯（点灯走査）されることで、接触点認識可能領域ｂ７側の接触点のみが検出されることになり、その接触点が表面タッチエリア２ａであることが認識される。この場合、接触点認識可能領域ａ７側の接触点が検出されないことになる。
【００９３】
次に、図９のフローチャートを参照し、表面タッチエリア２ａ及び／又は裏面タッチエリア２ｂでの入力位置の特定及びタッチエリアの判別について説明する。なお、以下の説明では、図８のように、表面タッチエリア２ａ及び裏面タッチエリア２ｂの接触点認識可能領域ａ２，ｂ２及びａ，ｂ７に、指先１０ａ，１０ｂ等による接触があるものとする。
【００９４】
また、発光素子３Ａ，３Ｂによる順次点灯（点灯走査）にあっては、表面タッチエリア２ａ側に設けられている発光素子３ＡであるＬ１０１〜Ｌ１１２から順に順次点灯（点灯走査）が行われた後、裏面タッチエリア２ｂ側に設けられている発光素子３ＢであるＬ２０１〜Ｌ２１２から順に順次点灯（点灯走査）が行われるものとする。
【００９５】
そして、まず、発光素子３ＡのＬ１０１がＯＮ（点灯）されると（ステップＳ１）、全ての受光素子４であるＰ１〜Ｐ９によって受光される散乱光が測定されて（ステップＳ２）、ＯＮしている発光素子３ＡのＬ１０１がＯＦＦ（消灯）される（ステップＳ３）。
【００９６】
ここで、全ての発光素子３Ａによる順次点灯（点灯走査）の処理が行われたかどうかが判断されるが（ステップＳ４）、ここでは、全ての発光素子３Ａによる順次点灯（点灯走査）の処理が行われていないため（ステップＳ４：ＮＯ）、発光素子３ＡのＬ１０１の次のＬ１０２がＯＮ（点灯）されて（ステップＳ５）、ステップＳ２に戻り、全ての受光素子４であるＰ１〜Ｐ９によって受光される散乱光が測定されて、ＯＮしている発光素子３ＡのＬ１０２がＯＦＦ（消灯）される（ステップＳ３）。
【００９７】
以上のような手順が全ての発光素子３ＡであるＬ１０１〜Ｌ１１２に対して行われると、続いて発光素子３ＢのＬ２０１がＯＮ（点灯）され（ステップＳ５）、全ての受光素子４であるＰ１〜Ｐ９によって受光される散乱光が測定されて（ステップＳ２）、ＯＮしている発光素子３ＢのＬ２０１がＯＦＦ（消灯）される（ステップＳ３）。
【００９８】
ここで、全ての発光素子３Ｂによる順次点灯（点灯走査）の処理が行われたかどうかが判断されるが（ステップＳ４）、ここでは、全ての発光素子３Ｂによる順次点灯（点灯走査）の処理が行われていないため（ステップＳ４：ＮＯ）、発光素子３ＢのＬ２０１の次のＬ２０２がＯＮ（点灯）されて（ステップＳ５）、ステップＳ２に戻り、全ての受光素子４であるＰ１〜Ｐ９によって受光される散乱光が測定されて、ＯＮしている発光素子３ＢのＬ２０２がＯＦＦ（消灯）される（ステップＳ３）。
【００９９】
そして、全ての発光素子３ＢであるＬ２０１〜Ｌ２１２の順次点灯（点灯走査）の処理が行われたと判断されると（ステップＳ４：ＹＥＳ）、順次点灯（点灯走査）された発光素子３Ａ，３Ｂ毎の受光データが解析され（ステップＳ６）、表面タッチエリア２ａ及び裏面タッチエリア２ｂにおけるＸ座標位置とＹ座標位置とに基づく入力位置が特定される（ステップＳ７）。
【０１００】
この場合、上述の図８で説明したように、たとえば接触点認識可能領域ａ２，ｂ２に指先１０ａ，１０ｂ等が接触されているとき、発光素子３ＡのＬ１０１〜Ｌ１１２が順次点灯（点灯走査）されることで、接触点認識可能領域ａ２側の接触点のみが検出されることになり、その接触点が表面タッチエリア２ａであることが認識される。
【０１０１】
このとき、その接触点認識可能領域ａ２側の接触点からの散乱光を受光した受光素子４であるＰ１〜Ｐ９のいずれかの座標と、その受光素子４の受光時に点灯された発光素子３ＡのＬ１０１〜Ｌ１１２のいずれかの座標とから、表面タッチエリア２ａでのＸ座標位置とＹ座標位置とに基づく入力位置が特定されることになる。
【０１０２】
また、この場合、発光素子３ＢのＬ２０１〜Ｌ２１２が順次点灯（点灯走査）されることで、接触点認識可能領域ｂ２側の接触点のみが検出されることになり、その接触点が裏面タッチエリア２ｂであることが認識される。
【０１０３】
このとき、その接触点認識可能領域ｂ２側の接触点からの散乱光を受光した受光素子４であるＰ１〜Ｐ９のいずれかの座標と、その受光素子４の受光時に点灯された発光素子３ＢのＬ２０１〜Ｌ２１２のいずれかの座標とから、裏面タッチエリア２ｂでのＸ座標位置とＹ座標位置とに基づく入力位置が特定されることになる。
【０１０４】
同様にして、たとえば接触点認識可能領域ａ７，ｂ７に指先１０ａ，１０ｂ等が接触されているとき、発光素子３ＡのＬ１０１〜Ｌ１１２が順次点灯（点灯走査）されることで、接触点認識可能領域ａ７側の接触点のみが検出されることになり、その接触点が裏面タッチエリア２ｂであることが認識される。
【０１０５】
このとき、その接触点認識可能領域ａ７側の接触点からの散乱光を受光した受光素子４であるＰ１〜Ｐ９のいずれかの座標と、その受光素子４の受光時に点灯された発光素子３ＡのＬ１０１〜Ｌ１１２のいずれかの座標とから、裏面タッチエリア２ｂでのＸ座標位置とＹ座標位置とに基づく入力位置が特定されることになる。
【０１０６】
また、この場合、発光素子３ＢのＬ２０１〜Ｌ２１２が順次点灯（点灯走査）されることで、接触点認識可能領域ｂ７側の接触点のみが検出されることになり、その接触点が表面タッチエリア２ａであることが認識される。
【０１０７】
このとき、その接触点認識可能領域ｂ７側の接触点からの散乱光を受光した受光素子４であるＰ１〜Ｐ９のいずれかの座標と、その受光素子４の受光時に点灯された発光素子３ＢのＬ２０１〜Ｌ２１２のいずれかの座標とから、表面タッチエリア２ａでのＸ座標位置とＹ座標位置とに基づく入力位置が特定されることになる。
【０１０８】
このように、本実施例では、一座標を判別するために、一面側が第１のタッチエリアとしての表面タッチエリア２ａとされ、他面側が第２のタッチエリアとしての裏面タッチエリア２ｂとされ、これら表面タッチエリア２ａ及び／又は裏面タッチエリア２ｂへの接触に応じて散乱光を発生させる導光板２に、該導光板２の一座標方向に設けられた第１の発光手段としての発光素子３Ａにより、制御手段としての制御部５ｅによるたとえば点灯走査によって光を所定の方向から入射し、一座標を判別するために、発光素子３Ａに対応させて設けられた第２の発光手段としての発光素子３Ｂにより、制御部５ｅによるたとえば点灯走査によって導光板２内に光を発光素子３Ａにおける入射の方向とは線対称となる方向から入射し、他座標を判別するために、導光板２の一辺に沿って設けられた受光手段としての受光素子４により散乱光が受光されると、制御部５ｅにより、受光素子４によって散乱光が受光されたときの座標と、該受光素子４の受光時にたとえば点灯走査させたときの発光素子３Ａ又は３Ｂの座標とから、接触物による表面タッチエリア２ａ及び／又は裏面タッチエリア２ｂへの入力位置が特定されるようにした。
【０１０９】
この場合、制御部５ｅにより、発光素子３Ａ又は３Ｂからの光が導光板２内に入射されて全反射を繰り返しながら導光板２内を直進することにより表面タッチエリア２ａ及び裏面タッチエリア２ｂに形成される接触点認識可能領域ａ１〜ａ９又は接触点認識可能領域ｂ１〜ｂ９の接触位置下での散乱光の受光に応じて接触物による接触が表面タッチエリア２ａであるか裏面タッチエリア２ｂであるかが識別されることから、多点同時入力を可能とする導光板２を用いた場合であって、その導光板２の両面に接触点があっても、どちらの面での接触点であるかの識別を容易に行うことができる。
【０１１０】
なお、本実施例では、図３及び図４で説明したように、位置入力装置１にあっては、ユーザ１０Ａ，１０Ｂが対面できるように縦置きとされるとした場合で説明したが、この例に限らず、たとえば図１０に示すように、片手で摘めるような構成とすることも可能である。
【０１１１】
この場合、位置入力装置１の導光板２をある程度の厚みを持たせるとともに、片手で摘める大きさとする。また、上述した発光素子３Ａ，３Ｂにあっては、その導光板２の側面２ｆ側に配置し、上述した受光素子４にあっては、その導光板２の側面２ｇ側に配置するようにする。
【０１１２】
このようにすると、上述した順次点灯（点灯走査）によって側面２ｆから入射された発光素子３Ａ，３Ｂからの光がたとえば人差し指１０ｃ、中指１０ｄ、親指１０ｅの接触位置下で散乱し、その散乱光がその側面２ｆ側に配置される受光素子４によって受光される。このとき、上述した理由から、図１１（ａ）のように、人差し指１０ｃ及び中指１０ｄによる接触点が裏面タッチエリア２ｂであると認識され、親指１０ｅによる接触点が表面タッチエリア２ａであると認識される。
【０１１３】
このような位置入力装置１は、片手で摘めるような構成とされることで、たとえば図１１（ｂ）に示すように、麻雀ゲーム等において麻雀パイ２０，２１を同時に摘み上げる操作等に応用することができる。
【０１１４】
また、本実施例では、図６〜図８で説明したように、発光素子３Ａ，３Ｂによる順次点灯（点灯走査）にあっては、表面タッチエリア２ａ側に設けられている発光素子３ＡであるＬ１０１〜Ｌ１１２から順に順次点灯（点灯走査）が行われた後、裏面タッチエリア２ｂ側に設けられている発光素子３ＢであるＬ２０１〜Ｌ２１２から順に順次点灯（点灯走査）が行われるものとしたが、この例に限らず、発光素子３ＡであるＬ１０１〜Ｌ１１２のいずれかと、発光素子３ＢであるＬ２０１〜Ｌ２１２のいずれかとが交互に時分割で順次点灯（点灯走査）されるようにしてもよい。
【０１１５】
このように、それぞれの発光素子３Ａ，３Ｂが時分割で順次点灯（点灯走査）が行われようにすると、導光板２の表面タッチエリア２ａと裏面タッチエリア２ｂとに、接触点認識可能領域ａ１〜ａ９と接触点認識可能領域ｂ１〜ｂ９とが交互に形成されるため、発光素子３Ａ側を順次点灯（点灯走査）させてから、発光素子３Ｂ側を順次点灯（点灯走査）させる場合に比べて、接触物による接触点の検出と、接触点が表面タッチエリア２ａであるのか裏面タッチエリア２ｂであるのかの認識をさらに早めに行うことが可能となる。
【０１１６】
また、このような発光素子３Ａ，３Ｂが時分割で順次点灯（点灯走査）が行われようにすると、図１２及び図１３のように、導光板２（第１の導光板及び第２の導光板）を重ね合わせて用いることが必要となった場合、両方の導光板２からの散乱光を受光できるように受光素子４を配置することで、それぞれの導光板２に対して受光素子４を兼用させることができ、受光素子４の数を低減することができる。
【０１１７】
この場合、導光板２（第１の導光板）と導光板２（第２の導光板）との重ね合わせ部分に所定の隙間が形成されるようにしておくと、発光素子３Ａからの光は全反射を繰り返しながら導光板２（第１の導光板）内を直進し、発光素子３Ｂからの光は全反射を繰り返しながら導光板２（第２の導光板）内を直進することになる。
【０１１８】
このとき、発光素子３Ａ，３Ｂが時分割で順次点灯（点灯走査）されると、受光素子４によって散乱光が受光されたときの座標と、その受光素子４の受光時に順次点灯（点灯走査）させたときの発光素子３Ａ又は３Ｂの座標とから、上述した指先１０ａ，１０ｂ等の接触による導光板２（第１の導光板）又は導光板２（第２の導光板）の表面タッチエリア２ａへの入力位置が特定され、さらに受光素子４の受光時における時分割での順次点灯（点灯走査）が発光素子３Ａ又は３Ｂのいずれかであることが判別されることで、指先１０ａ，１０ｂ等の接触が導光板２（第１の導光板）の表面タッチエリア２ａであるか導光板２（第２の導光板）の表面タッチエリア２ａであるかが識別されることになる。
【０１１９】
このように、導光板２（第１の導光板）と導光板２（第２の導光板）とを所定の隙間が形成されるようにして重ね合わせた場合、それぞれの発光素子３Ａ，３Ｂからの光が導光板２（第１の導光板）内と導光板２（第２の導光板）内を直進し、さらに発光素子３Ａ，３Ｂが時分割で順次点灯（点灯走査）されることで、それぞれの導光板２（第１の導光板及び第２の導光板）に対して受光素子４を兼用させても、導光板２（第１の導光板）又は導光板２（第２の導光板）の表面タッチエリア２ａへの入力位置の特定と、指先１０ａ，１０ｂ等の接触が導光板２（第１の導光板）の表面タッチエリア２ａであるか導光板２（第２の導光板）の表面タッチエリア２ａであるかの識別とを確実に行うことができる。
【０１２０】
また、この場合、図１４及び図１５に示すように、有機ＥＬや透明ＥＬ等の面発光部材３Ｃを配置してもよい。この場合、面発光部材３Ｃによって画像表示が可能となり、ユーザ１０Ａ，１０Ｂは画像の内容を確認しながら入力操作を行うことができる。
【０１２１】
しかも、面発光部材３Ｃによって赤外線光が上記同様に、時分割で導光板２（第１の導光板）と導光板２（第２の導光板）に入射されるようにすると、それぞれの導光板２（第１の導光板及び第２の導光板）の表面タッチエリア２ａへの接触による散乱光がそれぞれの導光板２（第１の導光板及び第２の導光板）内で面発光部材３Ｃに対し直交する方向に進行するため、上述した発光素子３Ａ，３Ｂが不要となる。
【０１２２】
なお、この場合、それぞれの導光板２の導光板２の任意の辺側に、図示しない第１の受光手段と第２の受光手段とを設けることで、それぞれの第１の受光手段と第２の受光手段とにより、それぞれの導光板２に対応させた散乱光の受光が行われるため、それぞれの第１の受光手段と第２の受光手段とによる散乱光の受光状況に応じていずれの導光板２の表面タッチエリア２ａへの接触であるかの識別を行うことができる。
【０１２３】
また、図１６及び図１７に示すように、導光板２の背面側にボール１１等の飛行物が次々と当てられるようにし、そのボール１１等の飛行物が当たった個所に触れた際、得点が加算されていくような入力操作にも応用することができる。この場合、導光板２は上述したように、たとえばアクリル板等を用いることができるため、耐久性や安全性において何ら問題なく使用することができる。
【０１２４】
なお、本実施例では、発光素子３Ａ，３Ｂからの光を赤外線光とした場合について説明したが、この例に限らず、紫外線光であってもよい。また、たとえば図１４及び図１５に示した画像表示が可能な面発光部材３Ｃを設ける必要が無い場合は発光素子３Ａ，３Ｂからの光を可視光としてもよい。
【産業上の利用可能性】
【０１２５】
ゲーム機、ＰＤＡ、携帯電話、ＡＴＭ、券売機等の入力装置、ＰＣ（パーソナルコンピュータ）等の情報処理装置、カーナビ等の地図表示装置等に適用可能である。
【図面の簡単な説明】
【０１２６】
【図１】本発明の位置入力装置の一実施例を示す図である。
【図２】図１の導光板における発光素子及び受光素子の配設状態等を説明するための側面図である。
【図３】図１の位置入力装置の使用例を説明するための図である。
【図４】図１の位置入力装置の使用例を説明するための図である。
【図５】図１の位置入力装置の導光板の基本原理について説明するための図である。
【図６】図１の位置入力装置の発光素子による順次点灯（点灯走査）の動作例について説明するための図である。
【図７】図１の位置入力装置の発光素子による順次点灯（点灯走査）の動作例について説明するための図である。
【図８】図１の位置入力装置の発光素子による順次点灯（点灯走査）の動作例について説明するための図である。
【図９】図１の位置入力装置における表面タッチエリア及び／又は裏面タッチエリアでの入力位置の特定及びタッチエリアの判別について説明するためのフローチャートである。
【図１０】図１の位置入力装置の構成を変えた場合の他の実施例を説明するための図である。
【図１１】図１０の位置入力装置の使用例を説明するための図である。
【図１２】図１の位置入力装置の導光板を２枚重ね合わせて用いる場合の他の実施例を説明するための図である。
【図１３】図１２の位置入力装置を示す側面図である。
【図１４】図１の位置入力装置の導光板を２枚重ね合わせるとともに、これらの導光板の間に面発光部材を配置した場合の他の実施例を説明するための図である。
【図１５】図１４の位置入力装置を示す側面図である。
【図１６】図１の位置入力装置の他の使用例を説明するための図である。
【図１７】図１６の位置入力装置を示す斜視図である。
【図１８】従来の光学式によるタッチパネルを説明するための平面図である。
【図１９】図１８のタッチパネルの不具合の解消例を説明するための図である。
【符号の説明】
【０１２７】
１  位置入力装置
２  導光板
２ａ  表面タッチエリア
２ｂ  裏面タッチエリア
２ｃ，２ｄ  テーパー部
２ｅ  側端部
２ｆ，２ｇ  側面
３Ａ，３Ｂ  発光素子
３Ｃ  面発光部材
４  受光素子
５  入力位置検出部
５ａ  発光素子駆動部
５ｂ  受光素子駆動部
５ｃ  受光量計測部
５ｄ  入力位置データ出力部
５ｅ  制御部
ａ１〜ａ９，ｂ１〜ｂ９  接触点認識可能領域
【図１】
2009288948.tif 000003
【図２】
2009288948.tif 000004
【図３】
2009288948.tif 000005
【図４】
2009288948.tif 000006
【図５】
2009288948.tif 000007
【図６】
2009288948.tif 000008
【図７】
2009288948.tif 000009
【図８】
2009288948.tif 000010
【図９】
2009288948.tif 000011
【図１０】
2009288948.tif 000012
【図１１】
2009288948.tif 000013
【図１２】
2009288948.tif 000014
【図１３】
2009288948.tif 000015
【図１４】
2009288948.tif 000016
【図１５】
2009288948.tif 000017
【図１６】
2009288948.tif 000018
【図１７】
2009288948.tif 000019
【図１８】
2009288948.tif 000020
【図１９】
2009288948.tif 000021